(57)【特許請求の範囲】
【請求項１】
建物の居室部の上に複数の屋根ユニットが搭載されたユニット建物において、
隣接する屋根ユニットに跨がって形成された妻面の屋根ユニット接合部を覆って化粧材が取り付けられ、妻面の棟を通る垂直線を対称軸とする前記屋根ユニット接合部の対称位置に、他の化粧材が取り付けられていることを特徴とするユニット建物。
【請求項２】
建物の居室部の上に平面視で略長方形の屋根ユニットが複数搭載されたユニット建物において、
平面視における短辺を互いに突き合わせて配置された複数の屋根ユニットの長辺に跨がって第１の妻面が形成された第１の屋根と、第１の妻面と平行であって手前側に第２の妻面が形成された他の屋根ユニットからなる第２の屋根とを備えるとともに、前記第１の妻面の屋根ユニット接合部を覆って化粧材が取り付けられ、前記第１の妻面の棟を通る垂直線を対称軸とする前記屋根ユニット接合部の対称位置に、他の化粧材が取り付けられていることを特徴とするユニット建物。
【請求項３】
前記屋根ユニットの直下には平面視で略同一形状の居室ユニットが配置され、前記妻面は、いずれも、居室ユニットの長辺直上に形成され、第１の屋根と第２の屋根との境界部の直下には、居室ユニット間を区切る壁がなく、前記境界部の両側に配置される居室ユニットの短辺側に耐力壁が設けられていることを特徴とする請求項２記載のユニット建物。
【請求項４】
建物の居室部の上に平面視で略長方形の第１から第４の屋根ユニットが搭載されたユニット建物において、
第１、第２、第３の屋根ユニットを、それぞれの長辺を互いに突き合わせてこの順序で平行に並べ、第１の屋根ユニットで第１の屋根を形成し、第２と第３の屋根ユニットの短辺に第４の屋根ユニットの長辺を突き合わせて、第２、第３、第４の屋根ユニットで第２の屋根を形成し、第２の屋根の第２の妻面が、連続する第２の屋根ユニットの長辺と第４の屋根ユニットの短辺に形成され、第１の屋根の第１の妻面が、第２の妻面と平行で第２の妻面の手前側に形成されていることを特徴とするユニット建物。
【発明の詳細な説明】
【０００１】
【発明の属する技術分野】
この発明は、建物の居室部の上に複数の屋根ユニットが搭載されたユニット建物に関する。
【０００２】
【従来の技術】
特開平９−３２１８５号公報に記載のユニット建物は、居室ユニットの上に切妻タイプの屋根ユニットが搭載されているものであって、屋根面の勾配方向が、居室ユニットの長手方向と平面視において平行である。
すなわち、上記屋根ユニットは、屋根ユニットの妻面が居室ユニットの長辺（桁面）と平行にある桁切妻用のものである。
【０００３】
【発明が解決しようとする課題】
しかしながら、上記公報に記載のユニット建物において、屋根の妻面を複数の屋根ユニットに跨がって形成する場合、屋根ユニット接合部が中心（棟）からずれてしまい、ここに化粧用モール材を取り付けると、左右非対称で違和感が生じる。
【０００４】
本発明は、上記の問題に鑑みてなされたもので、妻面の屋根ユニット接合部に違和感を生じない複数の屋根ユニットを搭載したユニット建物を提供することを目的としている。
【０００５】
【課題を解決するための手段】
請求項１記載の本発明は、建物の居室部の上に複数の屋根ユニットが搭載されたユニット建物において、
隣接する屋根ユニットに跨がって形成された妻面の屋根ユニット接合部を覆って化粧材が取り付けられ、妻面の棟を通る垂直線を対称軸とする前記屋根ユニット接合部の対称位置に、他の化粧材が取り付けられていることを特徴とする。
【０００７】
請求項２記載の本発明は、建物の居室部の上に平面視で略長方形の屋根ユニットが複数搭載されたユニット建物において、
平面視における短辺を互いに突き合わせて配置された複数の屋根ユニットの長辺に跨がって第１の妻面が形成された第１の屋根と、第１の妻面と平行であって手前側に第２の妻面が形成された他の屋根ユニットからなる第２の屋根とを備えるとともに、前記第１の妻面の屋根ユニット接合部を覆って化粧材が取り付けられ、前記第１の妻面の棟を通る垂直線を対称軸とする前記屋根ユニット接合部の対称位置に、他の化粧材が取り付けられていることを特徴とする。
【０００８】
請求項３記載の本発明は、請求項２記載のユニット建物において、前記屋根ユニットの直下には平面視で略同一形状の居室ユニットが配置され、前記妻面は、いずれも、居室ユニットの長辺直上に形成され、第１の屋根と第２の屋根との境界部の直下には、居室ユニット間を区切る壁がなく、前記境界部の両側に配置される居室ユニットの短辺側に耐力壁が設けられていることを特徴とする。
【００１０】
請求項４記載の本発明は、建物の居室部の上に平面視で略長方形の第１から第４の屋根ユニットが搭載されたユニット建物において、
第１、第２、第３の屋根ユニットを、それぞれの長辺を互いに突き合わせてこの順序で平行に並べ、第１の屋根ユニットで第１の屋根を形成し、第２と第３の屋根ユニットの短辺に第４の屋根ユニットの長辺を突き合わせて、第２、第３、第４の屋根ユニットで第２の屋根を形成し、第２の屋根の第２の妻面が、連続する第２の屋根ユニットの長辺と第４の屋根ユニットの短辺に形成され、第１の屋根の第１の妻面が、第２の妻面と平行で第２の妻面の手前側に形成されていることを特徴とする。
【００１１】
（作用）
請求項１記載のユニット建物においては、妻面の屋根ユニット接合部を覆って取り付けられた化粧材と、前記屋根ユニット接合部の対称位置に取り付けられた他の化粧材とによって、妻面の屋根ユニット接合部に違和感を生じないものとなる。
【００１３】
請求項２記載のユニット建物においては、平面視における短辺を互いに突き合わせて配置された複数の屋根ユニットの長辺に跨がって第１の妻面が形成された第１の屋根と、第１の妻面と平行であって手前側に第２の妻面が形成された他の屋根ユニットからなる第２の屋根とを備えているので、この第１の屋根と第２の屋根の間口寸法の異なる二つの妻面でダブルゲイブルを形成でき、高級感のある建物となる。
【００１４】
請求項３記載のユニット建物は、さらに、第１の屋根と第２の屋根との境界部の直下には、居室ユニット間を区切る壁がないので、前記境界部の両側に配置される二つの居室ユニットに跨がって広い居室空間が取れる。
【００１６】
請求項４記載のユニット建物においては、第２の屋根の第２の妻面が、連続する第２の屋根ユニットの長辺と第４の屋根ユニットの短辺に形成され、第１の屋根の第１の妻面が、第２の妻面と平行で第２の妻面の手前側に形成されているので、間口寸法の異なる第１と第２の妻面で、いわゆるダブルゲイブルとなり、高級感のある建物となる。
そしてまた、第１〜第４の屋根ユニットを上記のように配置しているので、ダブルゲイブルの建物を、狭小の敷地にあっても対応できる。
【００１７】
【発明の実施の形態】
以下、図面を参照して、この発明の実施の形態について説明する。説明は、実施例を用いて具体的に行う。
図１〜図３は、本発明の一実施例であって、図１はユニット建物の正面図、図２は図１に示すユニット建物の斜視図、図３は図１のユニット建物を分解して示す斜視図である。
【００１８】
図１と図２において、１はユニット建物であって、このユニット建物１は２階建てであって、上下階の居室ユニット（７、７）、（８、８）、（９、９）で構成された建物の居室部の上に複数の屋根ユニット３、４、６が搭載されている。上記屋根ユニット３、４、６と上記居室ユニット７、８、９は、図３に示すように、いずれも、平面視長方形になされている。
【００１９】
ユニット建物１は、平面視における短辺を互いに突き合わせて配置された二つの屋根ユニット３、４からなる第１の屋根２と、この第１の屋根２の手前側に設けられた第２の屋根５とを備えている。第２の屋根５は、単独の屋根ユニット６でなっている。
第１の屋根２の妻面２０（第１の妻面）は、屋根ユニット３、４の長辺に跨がって形成され、第２の屋根５の妻面５０（第２の妻面）は、第１の妻面２０と平行であってその手前側に形成されている。
【００２０】
また、上記ユニット建物１においては、図１に示すように、隣接する屋根ユニット３、４に跨がって形成された第１の妻面２０の屋根ユニット接合部を覆って化粧材１０（モール材）が取り付けられ、第１の妻面２０の棟４１を通る垂直線を対称軸とする前記屋根ユニット接合部の対称位置に、別の化粧材１１がダミーとして取り付けられている。
【００２１】
屋根ユニット３は、図３に示すように、下方に傾斜して貼設される野地板（不図示）と、その上に葺かれる屋根葺き材（不図示）とを支持する屋根支持部３１と、この屋根支持部３１の長辺側と短辺側に設けられたトラス材３２、３３とから構成されている。
屋根ユニット４は、棟４１の一方側で下方に傾斜する屋根支持部４２と、棟４１の他方側で下方に傾斜する屋根支持部４３と、これら屋根支持部４２、４３の長辺側と短辺側に設けられたトラス材４４、４５とから構成されている。上記屋根支持部４３の一側（第２の屋根５側）には、入隅部が形成されている。
屋根ユニット６は、棟６１を挟む両側で下方に傾斜する屋根支持部６２、６３と、これら屋根支持部６２、６３に設けられたトラス材６４とから構成されている。
【００２２】
そして、前記屋根ユニット３、４、６の直下には、それぞれ、平面視で略同一形状の居室ユニット７、８、９が配置されている。
上記居室ユニット７、８、９は、上下階で同一形状であるから同符号を付けて示している。
上記第１と第２の妻面２０、５０は、いずれも、居室ユニット３、４、６の長辺直上に形成され、第１の屋根２と第２の屋根５との境界部の直下には、居室ユニット８、９間を区切る壁がなく、前記境界部の両側に配置される居室ユニット８、９の短辺側に耐力壁パネル８２、９２が設けられている。
【００２３】
すなわち、居室ユニット８は、図３に示すように、長方形の床パネル８１と、床パネル８１の短辺両側に平面視ニ字型に立設された耐力壁パネル８２、８２とからなっている。
また、居室ユニット９は、長方形の床パネル９１と、床パネル９１の周縁三方に平面視コ字型に立設された耐力壁パネル９２とからなっている。
そしてまた、居室ユニット７は、長方形の床パネル７１と、床パネル７１の周縁三方に平面視コ字型に立設された耐力壁パネル７２とからなっている。
床パネル８１の長辺は、床パネル７１の長辺より大であるが、床パネル９１の長辺とは同じである。また、床パネル７１、８１、９１の短辺は、いずれも、同じである。
【００２４】
上記構成になされたユニット建物１の施工方法について説明する。
工場生産された居室ユニット７、８、９と屋根ユニット３、４、６とを建築現場に輸送し、建築現場に予め施工された基礎Ｋの上に、１階部分の居室部を構成する居室ユニット７、８、９を設置し、その上に２階部分の居室部を構成する居室ユニット７、８、９を設置し、これらを互いに連結固定する。
そして、居室ユニット７の上に屋根ユニット３を搭載し、居室ユニット９の上に屋根ユニット６を搭載する。その後、居室ユニット８の上に屋根ユニット４を搭載し、これらを互いに連結固定する。
【００２５】
すると、屋根支持部３１と屋根支持部４２とが連続して同一面上の屋根面となり、第１の屋根２が形成される。
そして、屋根支持部４３の入隅部に屋根ユニット６の屋根支持部６３が当接され、屋根支持部４３と連続する第２の屋根５が形成される。
【００２６】
その後、第１の妻面２０の屋根ユニット接合部を覆って化粧材１０（モール材）を取り付け、前記屋根ユニット接合部の対称位置に、他の化粧材１１（モール材）をダミーとして取り付けて仕上げする。
最後に、それぞれの屋根ユニット３、４、６の野地板（不図示）に屋根葺き材を葺いて屋根仕上げする。
【００２７】
（実施例の作用）
本実施例のユニット建物１においては、第１の妻面２０の屋根ユニット接合部を覆って取り付けられた化粧材１０と、前記屋根ユニット接合部の対称位置にダミーとして取り付けられた他の化粧材１１とによって、第１の妻面２０の屋根ユニット接合部が違和感を生じないものとなる。
【００２８】
また、本実施例のユニット建物１は、短辺を互いに突き合わせて配置された二つの屋根ユニット３、４の長辺に跨がって第１の妻面２０が形成された第１の屋根２と、第１の妻面２０と平行であって手前側に第２の妻面５０が形成された他の屋根ユニット６からなる第２の屋根５とを備えているので、この第１の屋根２と第２の屋根５の間口寸法の異なる二つの妻面２０、５０で、いわゆるダブルゲイブルを形成でき、高級感のある建物となる。
【００２９】
さらに、第１の屋根２と第２の屋根５との境界部の直下には、居室ユニット８、９間を区切る壁がないので、前記境界部の両側に配置される二つの居室ユニット８、９に跨がって広い居室空間が取れる。
【００３０】
図４と図５は、本発明の別の実施例であって、図４はユニット建物の斜視図、図５は図４のユニット建物を分解して示す斜視図である。
図において、１Ａはユニット建物であって、このユニット建物１Ａは、二つの隣接配置された居室ユニット７Ａ、９Ａのそれぞれの上に、平面視で長方形の屋根ユニット３Ａ、６Ａが搭載されたものである。
【００３１】
上記屋根ユニット３Ａ、６Ａは、いずれも、平面視における長辺寸法の異なるものである。
そして、上記長辺寸法の異なる屋根ユニット３Ａ、６Ａが、それぞれの長辺を互いに突き合わせて配置され、屋根ユニット３Ａの妻面３２Ａと屋根ユニット６Ａの妻面６２Ａとが、屋根ユニット３Ａ、６Ａの長辺に形成されている。
なお、屋根ユニット３Ａにおいて、３１Ａは切妻形式の屋根支持部であり、屋根ユニット６Ａにおいて、６１Ａは同じく切妻形式の屋根支持部である。
【００３２】
上記居室ユニット７Ａは、床パネル７１Ａと、壁パネル７２Ａ、７３Ａとからなり、居室ユニット９Ａは、床パネル９１Ａと、平面視コ字型に立設された壁パネル９２Ａとからなっている。
そして、屋根ユニット３Ａ、６Ａの境界部の直下では、隣接する居室ユニット７Ａ、９Ａ間に間仕切り壁のない、連続する居室空間が形成されている。
【００３３】
（実施例の作用）
本実施例のユニット建物１Ａにおいては、長辺寸法の異なる屋根ユニット３Ａ、６Ａが、それぞれの長辺を互いに突き合わせて配置され、屋根ユニット３Ａ、６Ａの妻面３２Ａ、６２Ａが、屋根ユニット３Ａ、６Ａの長辺に形成されているので、屋根ユニット３Ａ、６Ａの長辺に間口寸法の異なる二つの妻面３２Ａ、６２Ａを形成した、いわゆるダブルゲイブルとなり、高級感のある建物となる。
そしてまた、長辺寸法の異なる二つの屋根ユニット３Ａ、６Ａだけでダブルゲイブルを形成できるので、狭小の敷地にあっても対応できる。
【００３４】
図６と図７は、本発明の他の実施例であって、図６（イ）図はユニット建物の斜視図、（ロ）図は（イ）図の平面図であり、図７は図６のユニット建物を分解して示す斜視図である。
図において、１Ｂはユニット建物であって、このユニット建物１Ｂは、二つの隣接配置された居室ユニット７Ｂ、８Ｂのそれぞれの上に、平面視で長方形の屋根ユニット３Ｂ、４Ｂが搭載されたものである。
【００３５】
上記屋根ユニット３Ｂ、４Ｂは、図６（ロ）図に示すように、平面視における短辺方向の寸法が異なるものであって、屋根ユニット３Ｂの短辺方向の寸法は、屋根ユニット４Ｂの短辺方向の寸法の約１／２になされている。
上記屋根ユニット３Ｂ、４Ｂを長辺方向に並べ、短辺を互いに突き合わせて配置しており、それぞれの長辺に互い違いの二つの妻面３２Ｂ、４２Ｂが形成されている（図７参照）。上記妻面３２Ｂは、隣接する屋根ユニット３Ｂ、４Ｂに跨がって形成される。
なお、屋根ユニット３Ｂにおいて、３１Ｂは屋根支持部であり、この屋根支持部３１Ｂは切妻形式の第１の屋根の棟から半分を形成するものである。
また、屋根ユニット４Ｂにおいて、４１Ｂは屋根支持部であり、この屋根支持部４１Ｂは、切妻形式の第１の屋根の棟から他の半分を形成する部分と、切妻形式の第２の屋根を棟違いで形成する部分とからなっている。
【００３６】
上記居室ユニット７Ｂは、床パネル７１Ｂと、平面視コ字形に立設された壁パネル７２Ｂとからなり、居室ユニット８Ｂは、床パネル８１Ｂと、平面視コ字形に立設された壁パネル８２Ｂとからなっている。
【００３７】
（実施例の作用）
本実施例のユニット建物１Ｂにおいては、平面視における短辺方向の寸法が異なる屋根ユニット３Ｂ、４Ｂを長辺方向に並べ、それぞれの長辺に形成されている二つの妻面３２Ｂ、４２Ｂでダブルゲイブルを形成でき、高級感のある建物となる。
そしてまた、短辺寸法の異なる二つの屋根ユニット３Ｂ、４Ｂだけでダブルゲイブルを形成できるので、狭小の敷地にあっても対応できる。
【００３８】
図８と図９は、本発明の他の実施例であって、図８はユニット建物の斜視図であり、図９は図８のユニット建物の屋根ユニットを取り除いて示した斜視図である。
図８において、１Ｃはユニット建物であって、このユニット建物１Ｃは、上下階を構成する６つの居室ユニット８Ｃと、これら居室ユニット８Ｃ群の横に上下階を構成する２つの居室ユニット９Ｃを隣接配置し、これら居室ユニット８Ｃ、９Ｃのそれぞれの上に、いずれも平面視で長方形の第１〜第４の屋根ユニット３Ｃ、５Ｃ、６Ｃ、７Ｃが搭載されたものである。
【００３９】
上記ユニット建物１Ｃにおいては、図８に示すように、第１、第２、第３の屋根ユニット３Ｃ、５Ｃ、６Ｃを、それぞれの長辺を互いに突き合わせてこの順序で平行に並べ、第１の屋根ユニット３Ｃで第１の屋根２Ｃを形成している。
そして、第２と第３の屋根ユニット５Ｃ、６Ｃの短辺に、第４の屋根ユニット７Ｃの長辺を突き合わせて、第２、第３、第４の屋根ユニット５Ｃ、６Ｃ、７Ｃで第２の屋根４Ｃを形成している。
上記第２の屋根４Ｃの第２の妻面４０Ｃは、連続する第２の屋根ユニット５Ｃの長辺と第４の屋根ユニット７Ｃの短辺に形成されており、第１の屋根２Ｃの第１の妻面２０Ｃが、第２の妻面４０Ｃと平行で第２の妻面４０Ｃの手前側に形成されている。
【００４０】
上記第１の屋根ユニット３Ｃ、第２の屋根ユニット５Ｃ、第３の屋根ユニット６Ｃの直下には、図９に示すように、それぞれ、上下の居室ユニット８Ｃ、８Ｃが設置されている。そして、第４の屋根ユニット７Ｃの下方には、上下の居室ユニット９Ｃ、９Ｃが設置されている。
これら居室ユニット８Ｃと居室ユニット９Ｃの平面形状は、その上方の対応する屋根ユニット３Ｃ（または５Ｃ、６Ｃ）、屋根ユニット７Ｃと略同形状の長方形であり、居室ユニット９Ｃの長辺長さは、居室ユニット９Ｃの短辺長さの約２倍になされている。
【００４１】
上記居室ユニット９Ｃの１階部分には、玄関Ｇが設けられ、この玄関Ｇから２階に通じる階段Ｋが、その向きを居室ユニット９Ｃの長辺方向に向けて設けられている。
【００４２】
（実施例の作用）
上記したように、本実施例のユニット建物１Ｃにおいては、第２の屋根４Ｃの第２の妻面４０Ｃが、連続する第２の屋根ユニット５Ｃの長辺と第４の屋根ユニット７Ｃの短辺に形成され、第１の屋根２Ｃの第１の妻面２０Ｃが、第２の妻面４０Ｃと平行で第２の妻面４０Ｃの手前側に形成されているので、間口寸法の異なる第１の妻面２０Ｃと第２の妻面４０Ｃで、いわゆるダブルゲイブルとなり、高級感のある建物となる。
そして、第１〜第４の屋根ユニット３Ｃ、５Ｃ、６Ｃ、７Ｃを上記のように配置しているので、ダブルゲイブルのユニット建物１Ｃを、狭小の敷地にあっても対応できる。
【００４３】
さらにまた、第４の屋根ユニット７Ｃの下方に設置されている居室ユニット９Ｃには、上下階に通じる階段Ｋが設けられ、この階段Ｋの向きが居室ユニット９Ｃの長辺方向に向けられているので、階段Ｋを緩勾配にできる。
【００４４】
【発明の効果】
請求項１記載のユニット建物によると、妻面の屋根ユニット接合部が違和感を生じないものとなり、意匠性にすぐれる。
【００４６】
請求項２記載のユニット建物においては、第１の屋根と第２の屋根の間口寸法の異なる二つの妻面でダブルゲイブルを形成でき、高級感のある建物となる。
【００４７】
請求項３記載のユニット建物は、さらに、第１の屋根と第２の屋根との境界部の直下には、居室ユニット間を区切る壁がないので、前記境界部の両側に配置される二つの居室ユニットに跨がって広い居室空間が取れる。
【００４９】
請求項４記載のユニット建物においては、間口寸法の異なる第１と第２の妻面で、いわゆるダブルゲイブルとなり、高級感のある建物となる。
そして、このダブルゲイブルの建物を、狭小の敷地にあっても対応させることができるようになる。
また、第４の屋根ユニット下方の居室ユニットを階段室とすれば、この居室ユニットの長辺方向と平行な緩勾配の階段を設けることができる。
【図面の簡単な説明】
【図１】本発明の一実施例であって、ユニット建物の正面図。
【図２】図１に示すユニット建物の斜視図。
【図３】図１のユニット建物を分解して示す斜視図である。
【図４】本発明の別の実施例であって、ユニット建物の斜視図。
【図５】図４のユニット建物を分解して示す斜視図である。
【図６】本発明の他の実施例であって、（イ）図はユニット建物の斜視図、（ロ）図は（イ）図の平面図である。
【図７】図６のユニット建物を分解して示す斜視図である。
【図８】本発明の他の実施例であって、ユニット建物の斜視図である。
【図９】図８のユニット建物の屋根ユニットを取り除いて示した斜視図である。
【符号の説明】
１、１Ａ、１Ｂ、１Ｃ  ユニット建物
２、２Ｃ              第１の屋根
３、４、６、３Ａ、６Ａ、３Ｂ、４Ｂ、    屋根ユニット
３Ｃ、５Ｃ、６Ｃ、７Ｃ    屋根ユニット
５、４Ｃ              第２の屋根
７、８、９、７Ａ、９Ａ、７Ｂ、８Ｂ、８Ｃ、９Ｃ    居室ユニット
１０、１１      化粧材
２０、２０Ｃ          第１の妻面
５０、４０Ｃ          第２の妻面
３２Ａ、６２Ａ、３２Ｂ、４２Ｂ        妻面
【図１】
0003759875.tif 000002
【図２】
0003759875.tif 000003
【図３】
0003759875.tif 000004
【図４】
0003759875.tif 000005
【図５】
0003759875.tif 000006
【図６】
0003759875.tif 000007
【図７】
0003759875.tif 000008
【図８】
0003759875.tif 000009
【図９】
0003759875.tif 000010